(57)【要約】【課題】効率良くレール同士の連結部分の高さを揃えることが出来るレール間の段差解消方法及びレール切削装置を提供する。【解決手段】延在方向に連続して敷設された２本のレールの境界部分における段差解消方法であって、２本のレールの形状差に応じた段差を伴ってこれら２本のレールを連結する異形継ぎ目板を、段差のない継ぎ目板に交換する交換ステップと、段差のない継ぎ目板に連結された状態における２本のレールの形状をそれぞれ計測する計測ステップと、計測された形状の差を算出する算出ステップと、２本のレールのうち、算出された形状の差により同定される大きい方のレールに対し、レールの敷設現場で、レールの連結される端部から形状の差に応じた切削を行う切削ステップと、を含む。【選択図】図１
2015014103.tif 000002
【特許請求の範囲】
【請求項１】
延在方向に連続して敷設された２本のレールの境界部分における段差解消方法であって、
前記２本のレールの形状差に応じた段差を伴って当該２本のレールを連結する異形継ぎ目板を、段差のない継ぎ目板に交換する交換ステップと、
前記段差のない継ぎ目板に連結された状態における前記２本のレールの形状をそれぞれ計測する計測ステップと、
計測された形状の差を算出する算出ステップと、
前記２本のレールのうち、前記算出された形状の差により同定される大きい方のレールに対し、当該レールの敷設現場で、当該レールの連結される端部から前記形状の差に応じた切削を行う切削ステップと
を含むことを特徴とするレールの境界部分における段差解消方法。
【請求項２】
前記計測ステップは、前記レールの形状として、当該レール頭部において前記レールと当該レール上の車輪との接触範囲に基づいて定められる所定の位置を基準とした高さを計測することを特徴とする請求項１記載のレールの境界部分における段差解消方法。
【請求項３】
前記計測ステップは、前記２本のレールが前記交換ステップにおいて前記段差のない継ぎ目板により連結された後に行われることを特徴とする請求項１又は２記載のレールの境界部分における段差解消方法。
【請求項４】
前記切削ステップは、ミーリング方式で行われることを特徴とする請求項１〜３の何れか一項に記載のレールの境界部分における段差解消方法。
【請求項５】
ミーリング方式でレール表面の切削を行う切削部と、
当該切削部を前記レールの延在方向に移動させる移動部と、
前記レールの端部における切削深さと、予め設定された切削深さの勾配とに基づいて、前記切削部及び前記移動部の動作を制御して、前記レール面の切削を行わせる制御部と、
を備えるレール切削装置であって、
当該レール切削装置全体を前記レールの両側面に対して固定する固定部を備える
ことを特徴とするレール切削装置。
【発明の詳細な説明】
【技術分野】
【０００１】
この発明は、レールの境界部分における段差解消方法及びレール切削装置に関する。
【背景技術】
【０００２】
鉄道車両などの車輪を支持し、移動方向を案内するレールは、車輪との接触により徐々に磨耗していく。従って、このレールは、定期的に交換されている。しかしながら、全てのレールを一度に交換するのは困難であり、その結果、交換されるレールと交換されずに残るレールとの境界部分では、段差が生じるという問題がある。
【０００３】
そこで、従来、レール同士を繋ぐ際に両レールに対してボルトを用いて固定される継ぎ目板には、交換されるレールと交換されないレールのそれぞれの高さに従った段差を有する異形継ぎ目板が用いられ、交換されないレールにおける磨り減った分の高さを嵩上げして段差を解消している。
【０００４】
図７は、異形継ぎ目板によるレールの連結の例を示す図である。
図７（ａ）に示すように、レールの延在方向に配置された２本のレールＲ１、Ｒ２は、当該レールＲ１、Ｒ２の腹部に嵌め込まれ、ボルトで固定された継ぎ目板Ｊにより連結されている。このとき、図７（ｂ）の拡大図に示すように、レールＲ２の頭部の高さ方向の幅は、レールＲ１の頭部の高さ方向の幅より大きい。そこで、継ぎ目板ＪとレールＲ１、Ｒ２の接触面の高さがレールＲ１、Ｒ２の頭部の高さ幅に応じて異なり、レールＲ１、Ｒ２頭部の上面の高さが等しくなるように継ぎ目板Ｊ（異形継ぎ目板）を形成してレールＲ１、Ｒ２を連結することで、レールＲ１とレールＲ２との間の段差を解消している。
【０００５】
一方で、以前より、交換される新しいレールの上面や側面を削って、交換されないレールと滑らかに連結させる技術がある。しかしながら、従来、レールの敷設現場で行われるレールの切削には、グラインダやサンダーベルト（ベルトサンダ）が用いられていた。これらを用いた切削作業には、時間と熟練技術とを要するので、交換が必要なレールの本数と比較して、夜間などの鉄道車両が走行しない時間に短時間で交換を行うには限界があるという問題がある。
【０００６】
そこで、特許文献１には、予め交換位置のレール形状を計測し、工場設備を用いて切削をした交換レールや中継レールを敷設現場に持ち込んで交換されないレールと連結させることで、短時間で一連の区間のレール交換作業を行う技術が開示されている。また、特許文献２には、ミーリングユニットを用いてレール同士の連結面付近に残った肉盛部を平滑化する技術が開示されている。
【先行技術文献】
【特許文献】
【０００７】
【特許文献１】特許第４２３３４６８号公報
【特許文献２】特許第２８３７６２８号公報
【発明の概要】
【発明が解決しようとする課題】
【０００８】
しかしながら、異形継ぎ目板には、通常の継ぎ目板と比較して、より大きな負荷がかかり、損耗しやすい。従って、より頻繁にレールや継ぎ目板を交換する必要が生じて非効率になるという課題がある。また、継ぎ目板を交換する際に、既に使用されているレールを一度工場に持ち帰って段差解消のための切削作業を行うことは、手間と時間がかかり、やはり効率が悪いという課題がある。
【０００９】
この発明の目的は、効率良くレール同士の連結部分の高さを揃えることが出来るレールの境界部分における段差解消方法及びレール切削装置を提供することにある。
【課題を解決するための手段】
【００１０】
本発明は、上記目的を達成するため、延在方向に連続して敷設された２本のレールの境界部分における段差解消方法であって、前記２本のレールの形状差に応じた段差を伴って当該２本のレールを連結する異形継ぎ目板を、段差のない継ぎ目板に交換する交換ステップと、前記段差のない継ぎ目板に連結された状態における前記２本のレールの形状をそれぞれ計測する計測ステップと、計測された形状の差を算出する算出ステップと、前記２本のレールのうち、前記算出された形状の差により同定される大きい方のレールに対し、当該レールの敷設現場で、当該レールの連結される端部から前記形状の差に応じた切削を行う切削ステップと、を含むこととした。
これにより、異形継ぎ目板から段差のない継ぎ目板への交換に際して、手間を増大させずに容易にレールの境界部分における段差を解消することが出来る。また、このように、段差のない継ぎ目板への交換することで、従来負担になっていた異形継ぎ目板の交換頻度を通常の頻度に落とすことも出来る。
【００１１】
また、望ましくは、前記計測ステップは、前記レールの形状として、当該レール頭部において前記レールと当該レール上の車輪との接触範囲に基づいて定められる所定の位置を基準とした高さを計測することとした。
従って、レールの腹部やレール全体の形状を計測する必要が無く、一部分の計測だけで足りる。
【００１２】
また、望ましくは、前記計測ステップは、前記２本のレールが前記交換ステップにおいて前記段差のない継ぎ目板により連結された後に行われることとした。
従って、連結されるレールを大きく移動させたり、これに伴ってレールボンドを外したりするといった面倒な手間を省略することが出来る。
【００１３】
また、望ましくは、前記切削ステップは、ミーリング方式で行われることとした。
従って、従来、レールの敷設現場におけるレール表面の切削に用いられるグラインダやサンダーベルトなどと比較して遥かに高速で切削を行うことが出来、大幅な作業時間の短縮を図ることが出来る。
【００１４】
また、本発明は、ミーリング方式でレール表面の切削を行う切削部と、当該切削部を前記レールの延在方向に移動させる移動部と、前記レールの端部における切削深さと、予め設定された切削深さの勾配とに基づいて、前記切削部及び前記移動部の動作を制御して、前記レール面の切削を行わせる制御部と、を備えるレール切削装置であって、当該レール切削装置全体を前記レールの両側面に対して固定する固定部を備えることとした。
従って、このレール切削装置１００は、安定且つ高速にレールの境界部分における段差を解消する作業の現場で好適に用いられることが出来る。これにより、枕木やバラストなどで地面が安定せず、且つ、鉄道車両の走行ダイヤとの関係上作業時間が限られる継ぎ目板の交換現場での作業に対して好適に用いることが出来る。
【発明の効果】
【００１５】
本発明に従うと、効率良くレール同士の連結部分の高さを揃えることが出来るという効果がある。
【図面の簡単な説明】
【００１６】
【図１】本発明のレール切削装置の実施形態を示す外観図である。
【図２】レール切削装置の正面図である。
【図３】レール切削装置の側面図である。
【図４】継ぎ目板交換処理の手順を示すフローチャートである。
【図５】レールの切削範囲を説明する図である。
【図６】レール切削装置における切削制御処理の制御手順を示すフローチャートである。
【図７】異形継ぎ目板を用いたレールの連結を説明する図である。
【発明を実施するための形態】
【００１７】
以下、本発明の実施の形態を図面に基づいて説明する。
図１は、レール切削装置１００の本実施形態を示す全体斜視図である。また、図２、図３は、それぞれ、レール切削装置１００の正面図及び側面図である。
【００１８】
このレール切削装置１００は、継ぎ目板の交換現場へ持ち込み可能な可搬式のものである。レール切削装置１００は、線路を覆うフレーム１１と、フレーム１１の一端部付近に設けられた架台上の制御部１２と、メニューなどを表示すると共にユーザの操作を受け付ける表示操作部１３と、フレーム上を移動可能な台座１１ｃ上に設けられ、切削動作を行う主軸モータ１４及びこの主軸モータ１４により動作してレールＲを切削する切削刃部１５と、台座を移動させる送りモータ１６と、主軸モータ１４及び送りモータ１６に電力及び制御信号を送るケーブルＣを収納するケーブル収容部１７などを備える。
【００１９】
フレーム１１は、側壁１１ａ、１１ｂを有する。側壁１１ａ、１１ｂは、レールＲの延在方向に所定の長さに亘り、当該レールＲを挟んで両側に設けられ、これらの上部に設けられた台座１１ｃを移動させるためのガイドレールとして用いられる。台座１１ｃには、主軸モータ１４及び切削刃部１５が配置され、送りモータ１６により側壁１１ａ、１１ｂに沿って前後に移動可能となっている。また、フレーム１１には、当該フレーム１１をレールに対して固定する固定部１１ｄが設けられている。固定部１１ｄは、例えば、ネジ１１ｄ１を用いて固定具１１ｄ２、１１ｄ３によりレールＲを側面から挟持することで、フレーム１１（即ち、レール切削装置１００）をレールＲに固定する。ここで、固定具１１ｄ２、１１ｄ３は、レールＲにおいて車輪と接触する頭部と、枕木と接触する底部との間で狭幅となるレール腹部にはめ込まれる形でレールＲを挟持している。
【００２０】
制御部１２は、例えば、表示操作部１３からの入力操作などに基づく命令に応じて主軸モータ１４を動作させて切削動作を行う。制御部１２は、例えば、ＣＰＵ（Central Processing Unit）、ＲＡＭ（Random Access Memory）、ＲＯＭ（Read Only Memory）及び通信部などがチップ上に配列形成されたマイコンを有し、主軸モータ１４及び送りモータ１６の動作制御に係る各種演算処理や信号及びデータの入出力処理を行う。或いは、この制御部１２としては、専用のマイコンに代えて、汎用ノート型パーソナルコンピュータ（ＰＣ）やタブレット端末を用いても良い。
【００２１】
表示操作部１３は、各種メニューやステータスの表示を行うと共に、ユーザの入力操作を受け付ける。この表示操作部１３としては、例えば、タッチセンサを備え、タッチパネルとしての機能を有する液晶表示画面（ＬＣＤ）が用いられる。或いは、表示操作部１３には、一又は複数の押しボタンスイッチ及びキーボード並びに表示ランプを備えていても良い。また、上述のノート型ＰＣやタブレット端末を用いる場合には、モータ駆動電源といったノート型ＰＣやタブレット端末に含まれない構成要素を除き、この表示操作部１３を制御部１２と一体的に構成したものとすることが出来る。
【００２２】
主軸モータ１４は、制御部１２からの制御信号に基づいて切削刃部１５を動作させて設定位置でレール頭部表面を所定の深さに切削させる。この主軸モータ１４は、切削刃部１５の形式に応じたモータであり、ここでは、切削刃部１５のフライスの高さ位置を調節しながら回転動作させる回転モータである。また、主軸モータ１４は、上述の台座１１ｃに取り付けられている。
【００２３】
切削刃部１５は、レール頭部の表面を切削するための刃を備える。ここでは、切削刃部１５としては、フライス（ミーリングカッター）が用いられ、主軸モータ１４における主軸の回転動作に応じて回転してレール頭部の表面を所定の深さで切削する。切削刃部１５は、上述の台座１１ｃの移動による主軸モータ１４の移動に従って移動する。従って、フレーム１１が一度レールＲに固定されると、レールＲが延在する方向への当該フレーム１１の長さに応じた所定の範囲の切削を行うことが可能になる。
これら主軸モータ１４及び切削刃部１５により切削部が構成される。
【００２４】
送りモータ１６は、主軸モータ１４及び切削刃部１５が取り付けられた台座１１ｃを側壁１１ａ、１１ｂ上部のガイドレールに沿って移動させる。この送りモータ１６の動作方式は、特には限られないが、切削刃部１５による切削時に位置ずれを起こさない安定性が求められる。
送りモータ１６及び台座１１ｃにより移動部が構成される。
【００２５】
ケーブル収容部１７は、制御部１２から主軸モータ１４に送られる制御信号や電力を供給するケーブルＣをまとめて収容する中空の筒状カバー部材である。本実施形態では、このケーブル収容部１７は、フレーム１１の側壁１１ａ、１１ｂの外側に沿って上下方向に折り曲げ可能に設けられており、主軸モータ１４及び切削刃部１５が取り付けられた台座１１ｃの移動に従って台座１１ｃや切削刃部１５にケーブルＣを絡ませたりするといったトラブルを生じさせずに当該ケーブルＣを移動させる。
【００２６】
ここで、このレール切削装置１００、特に、主軸モータ１４及び送りモータ１６は、切削動作の安定性及び正確性を必要な精度から外れるほど損ねない範囲で軽量小型とされて、敷設現場に持ち込み、及び、移動が可能なものである必要がある。
【００２７】
次に、本実施形態のレール切削装置１００を用いた異形継ぎ目板の交換動作について説明する。
図４は、異形継ぎ目板の交換の手順を示すフローチャートである。
【００２８】
この継ぎ目板交換処理では、先ず、古い異形継ぎ目板を固定された両側のレールから取り外す（ステップＳ５０１）。次いで、新しい段差の無い継ぎ目板をこれら両側のレールに取り付ける（ステップＳ５０２）。
これら、ステップＳ５０１、Ｓ５０２の処理により交換ステップが構成される。
【００２９】
次に、新しい継ぎ目板に取り付けられた両側のレールの高さを計測し（ステップＳ５０３、計測ステップ）、これらの高さの差を算出する（ステップＳ５０４、算出ステップ）。そして、レール切削装置１００を用い、算出された高さの差に基づいて、両レールの連結面で高さが等しくなるように高い方のレールの切削処理を行い（ステップＳ５０５、切削ステップ）、継ぎ目板交換処理を終了する。
【００３０】
異形継ぎ目板の取り外し及び段差のない継ぎ目板の取り付けに係る処理（ステップＳ５０１、Ｓ５０２）は、従来行われているものと同一であり、詳しい説明を省略する。このとき、継ぎ目板により連結されるレールは交換されないので、レール自体を大きく動かす必要は無く、従って、電化路線では、レール同士を電気的に接続するためのレールボンドを取り外す必要が無い。また、交換対象の継ぎ目板に連結された端部とは反対側のレール端部における継ぎ目板は、連結された状態のままで良い。
【００３１】
ステップＳ５０３の処理において、レールの高さの計測方法としては、各種周知の方法を用いることが出来る。例えば、レーザ測位装置を用いてレールの断面形状を計測することで、レールの敷設現場で容易且つ速やかに算出される。このとき、レーザ測位装置のレーザ射出位置を適切に設定して固定するためのガイド部材が設けられていても良い。
【００３２】
ステップＳ５０４の処理において、連結される２本のレールＲ１、Ｒ２の高さの差Ｈは、レール頭部の頭頂部（上端）から下端までの距離ｈ１、ｈ２を用いて求めることが出来る（図５参照）。レールＲ１、Ｒ２は、車輪との接触により、主にレール頭部上面及び内側面で大きく磨耗する。一方、レール頭部下端及びその下部は、車輪と接触せず、磨耗が生じない。また、レール頭部は、レールが敷設された状態でも容易に測定可能な位置にある。従って、このレール下端からの高さを計測することで、容易且つ正確にレールの磨耗に係る高さの差を算出することが出来る。
なお、レール頭部における下端は、必ずしも明確に水平面や角部形状などで定められるものではない。従って、レールの規格形状に応じてレール頭部の下部における所定の形状部分が下端位置として規定される。このとき、車輪と接触しない位置にこの下端位置に対応する形状部分を定めることで、磨耗により当該位置が正確に定まらない事態を避けることが出来る。
【００３３】
また、ステップＳ５０３の処理において、レールの断面形状は、レール頭部のみについて計測が行われれば良い。このようにすることで、計測は、レールが継ぎ目板により連結されていても測定可能となるので、ステップＳ５０２の後に行うことが出来る。或いは、ステップＳ５０１の処理の前に予め計測しておくことも可能である。
【００３４】
次に、本実施形態のレール切削装置１００を用いたステップＳ５０５の処理に係る切削動作について詳しく説明する。
この切削動作では、計測された連結対象のレールの高さの差に応じ、より高いレールの連結端付近（連結された後の境界部分）を所定の勾配で低いレールの高さと同じ高さになるように切削を行う。
【００３５】
図５は、新レールの切削範囲を説明する図である。
図５において左側の低いレールＲ１と右側の高いレールＲ２との高さの差がＨである場合には、高いレールＲ２に対し、連結端で深さＨ、当該連結端から勾配ｒで、長さＷ＝Ｈ／ｒに亘り切削が行われる（斜線ハッチ部分）。この勾配ｒは、予め定められた値、例えば、１／１０００〜１／４００（１．０〜２．５‰）であり、当該連結端の列車通過速度や頻度、連結されるレールの種別などに応じて複数種類設定可能である。
【００３６】
本実施形態のレール切削装置１００では、一度に切削される単位深さｄが定められている。連結端での切削の深さＨが単位深さｄよりも大きい場合には、回数Ｎ＝Ｈ／ｄ繰り返して切削動作が行われることで、全体として深さＨの切削がなされる。単位深さｄとしては、例えば、０．２ｍｍ程度に設定され、深さＨは、通常、最大でも数ｍｍ程度であるので、１０〜２０回程度の繰り返しの切削動作により速やかに終了することが出来る。
【００３７】
図６は、レール切削装置１００の制御部１２による切削制御処理の制御手順を示すフローチャートである。
この切削動作では、ユーザの表示操作部１３への入力操作に応じて開始される。
【００３８】
切削制御処理が開始されると、先ず、制御部１２（ＣＰＵ）は、切削量（深さ）Ｈの値を取得する（ステップＳ１０１）。制御部１２は、ユーザによる表示操作部１３への入力操作に基づいて設定されたこの切削深さＨの値を取得する。
【００３９】
制御部１２は、単位切削量ｄ及び勾配ｒを設定する（ステップＳ１０２）。上述のように、単位切削量ｄは、レール切削装置１００について予め定められた値であり、制御部１２は、制御部１２内のＲＯＭやその他の不揮発性メモリといった記憶部に記憶された値を参照してこの単位切削量ｄを設定する。また、制御部１２は、勾配ｒとして、同様にＲＯＭや不揮発性メモリを参照して一の定数を取得するか、又は、ユーザにより表示操作部１３に入力された当該レールの利用形態や種別などに応じて適切な値を取得する。
【００４０】
制御部１２は、切削深さＨ及び単位切削量ｄから切削動作の繰り返し回数Ｎを算出する。また、制御部１２は、切削動作の実行回数を示す変数ｉの初期値として「０」を設定する（ステップＳ１０３）。
【００４１】
制御部１２は、変数ｉ回目の切削動作における切削長ｗｉを算出する（ステップＳ１０４）。変数ｉ回目の切削動作におけるレール端部での合計切削深さは、ｄ×（ｉ＋１）になるので、このときの切削長ｗｉは、この合計切削深さを勾配ｒで除した値となる。
【００４２】
制御部１２は、主軸モータ１４及び送りモータ１６に制御信号を送り、ステップＳ１０４の処理で設定された切削長ｗｉに亘り、勾配ｒ、深さｄの切削動作を行わせる（ステップＳ１０５）。切削動作がなされると、制御部１２は、切削刃部１５をレール面から離して送りモータ１６を動作させ、台座１１ｃを移動させて当該切削刃部１５をレールの連結端の位置に戻す。
【００４３】
制御部１２は、変数ｉに１を加算し（ステップＳ１０６）、この加算後の変数ｉの値が回数Ｎと等しいか否かを判別する（ステップＳ１０７）。等しくないと判別された場合には（ステップＳ１０７で“ＮＯ”）、制御部１２の処理は、ステップＳ１０４に戻り、制御部１２は、次回の切削に係る設定と動作を行う。等しいと判別された場合には（ステップＳ１０７で“ＹＥＳ”）、制御部１２は、切削制御処理を終了する。
【００４４】
以上のように、本実施形態のレール切削装置１００を用いたレールの境界部分における段差解消法によれば、延在方向に連続して配置された２本のレールの形状差に応じた段差を伴って当該２本のレールを連結する異形継ぎ目板を段差のない継ぎ目板に交換し、また、これら２本のレールの形状をそれぞれ計測して、当該計測された形状の差を算出する。そして、この算出結果に基づいて、２本のレールのうち大きい方のレールを、その場で、当該レールの連結される端部から形状の差に応じて所定の勾配で切削する。従って、異形継ぎ目板から段差のない継ぎ目板への交換に際して、手間を増大させずに容易にレールの境界部分における段差を解消することが出来る。また、このように、段差のない継ぎ目板への交換することで、従来負担になっていた異形継ぎ目板の交換頻度を通常の頻度に落とすことも出来るので、全体として継ぎ目板やレール交換に係る効率を改善することが出来る。
【００４５】
また、レールの形状として、レール頭部において前記レールと当該レール上の車輪との接触範囲に基づいて定められる所定の下端位置を基準とした高さを計測するので、レールの腹部やレール全体の形状を計測する必要が無く、計測時間の短縮を図ることが出来る。
【００４６】
また、２本のレールの断面形状の計測は、継ぎ目板が交換された後、継ぎ目板により連結された状態で行われるので、連結されるレールを大きく移動させたり、これに伴ってレールボンドを外したりする手間を省略して素早く計測を行うことが出来る。
【００４７】
また、ミーリング方式で切削が行われるので、従来のグラインダやサンダーベルトなどと比較して遥かに高速で切削を行うことが出来、大幅な作業時間の短縮を図ることが出来る。従って、夜間や一時的な運休期間といった短時間の間に多くの継ぎ目板の交換作業を完了することが出来る。
【００４８】
また、レール切削装置１００は、ミーリング方式でレール表面の切削を行う切削刃部１５及び主軸モータ１４と、これらをレールの延在方向に移動させる送りモータ１６と、レールの端部における切削深さＨ及び予め設定された切削深さの勾配ｒとに基づいて主軸モータ１４及び送りモータ１６の動作を制御して、レール表面の切削を行わせる制御部１２と、を備え、レール切削装置１００全体は、固定部１１ｄによりレールの両側面に固定される。従って、安定且つ高速にレールの境界部分における段差を解消する作業を行うことが出来る。これにより、枕木やバラストなどで地面が安定せず、且つ、鉄道車両の走行ダイヤとの関係上作業時間が限られる継ぎ目板の交換現場での作業に対して好適に用いることが出来る。
【００４９】
なお、本発明は、上記実施の形態に限られるものではなく、様々な変更が可能である。
例えば、上記実施の形態では、ミーリング方式を用いてレール面の切削を行うこととしたが、切削の量などによっては、この方式だけに限定するものではない。従来の他の方式と併用することでも切削時間の削減を図ることが出来る。
【００５０】
また、上記実施の形態では、レールの切削面が一様な勾配となるように設定したが、その他の勾配形状、例えば、両端で勾配が０となる曲線形状であっても良い。
【００５１】
また、上記実施の形態に係るレール切削装置１００では、別途計測されたレールの境界部分における段差がユーザの入力操作で取得されて、この取得値に基づいて切削動作が行われたが、計測された２本のレールのデータをレール切削装置１００が備える通信機能を用いて直接取得して、制御部１２が段差を計算しても良い。
【００５２】
また、上記実施の形態では、レール頭部の下端位置として定められた位置を基準として形状の計測を行ったが、その他の位置を基準としても良い。この場合、継ぎ目板がレールに取り付けられている場合には、腹部の形状を計測することが出来ないので、ステップＳ５０３における計測処理は、ステップＳ５０１の処理とステップＳ５０２の処理との間で継ぎ目板が取り外されている期間に行っても良い。或いは、継ぎ目板がレールに取り付けられていても、腹部の形状の計測を省略して、レール全体の高さのみを計測しても良い。
【００５３】
また、上記実施の形態では、段差として高さの差だけを求め、レール頭部の上面のみを切削することとしたが、幅の差を合わせて求めて、レール頭部の内側面を切削可能としても良い。この場合には、切削刃部１５及び主軸モータ１４の回転軸を移動させるか、又は、上面用と内側面用とで別個に切削刃部１５を設けるかが想定される。
【００５４】
また、上記実施の形態では、切削対象のレールが平坦であることを前提として、レール端部での高さの差Ｈ及び勾配ｒのみに基づく切削動作を説明したが、既にレールの頭部が切削されている場合や、磨耗によりレール断面形状が不均一となっている場合には、当該形状に従って切削長の設定ごとに各レール位置でのレール断面形状も考慮して、各々切削範囲を定めれば良い。
【００５５】
また、上記実施の形態では、敷設現場でレールが敷設され、継ぎ目板で連結された状態で切削を行うこととしたが、予め段差の大きさが求められる場合には、レール同士を再度連結する前に、当該端部同士をずらした状態で一方のレールの切削を行っても良い。
【００５６】
また、上記実施の形態では、異形継ぎ目板から段差の無い継ぎ目板への交換の際にレール断面の段差を切削することとしたが、段差の無い継ぎ目板により連結されていたレールの一方を交換することにより生じる段差に対しても、同様に切削を行うことが出来る。
【００５７】
また、上記実施の形態に係るレール切削装置は、工場など現場以外で利用することも可能である。
その他、上記実施の形態で示した具体的な構造や処理動作の内容といった細部は、本発明の趣旨を逸脱しない範囲において適宜変更可能である。
【符号の説明】
【００５８】
１１   フレーム
１１ａ、１１ｂ       側壁
１１ｃ 台座
１１ｄ 固定部
１１ｄ１      ネジ
１１ｄ２、１１ｄ３   固定具
１２   制御部
１３   表示操作部
１４   主軸モータ
１５   切削刃部
１６   送りモータ
１７   ケーブル収容部
１００ レール切削装置
Ｃ     ケーブル
Ｊ     継ぎ目板
Ｒ     レール
Ｒ１   レール
Ｒ２   レール
【図１】
2015014103.tif 000003
【図２】
2015014103.tif 000004
【図３】
2015014103.tif 000005
【図４】
2015014103.tif 000006
【図５】
2015014103.tif 000007
【図６】
2015014103.tif 000008
【図７】
2015014103.tif 000009